(57)【要約】【課題】確実に接続再設定すること。【解決手段】移動局装置の第１通信部は、第１の基地局装置に関する識別情報を含む接続再設定要求を、第２の基地局装置に送信する。第２の基地局装置の第２通信部は、接続再設定要求に含まれる第１の基地局装置に関する識別情報に基づいて移動局装置に関する移動局装置情報を取得する。第２の基地局装置の接続部は、第２通信部が取得した移動局装置情報に基づいて移動局装置と接続を確立する。【選択図】図１１
2014057215.tif 000002
【特許請求の範囲】
【請求項１】
移動局装置と、前記移動局装置の接続元である第１の基地局装置と、前記移動局装置の接続先の候補である第２の基地局装置を具備する無線通信システムであって、
前記移動局装置は、
第１の基地局装置に関する識別情報を含む接続再設定要求を、前記第２の基地局装置に送信する第１通信部を備え、
前記第２の基地局装置は、
前記接続再設定要求に含まれる前記第１の基地局装置に関する識別情報に基づいて前記移動局装置に関する移動局装置情報を取得する第２通信部と、
前記第２通信部が取得した移動局装置情報に基づいて前記移動局装置と接続を確立する接続部と、
を備えることを特徴とする無線通信システム。
【請求項２】
前記第２通信部は、
前記接続再設定要求に含まれる識別情報が示す前記第１の基地局装置に、前記移動局装置情報の転送要求を送信し、
前記第１の基地局装置は、
前記転送要求に基づいて、前記移動局装置情報を、前記第２の基地局装置に送信する第３通信部を備えること
を特徴とする請求項１に記載の無線通信システム。
【請求項３】
前記第１の基地局装置に関する識別情報は、当該第１の基地局装置のセルを示す識別情報であることを特徴とする請求項１または請求項２に記載の無線通信システム。
【請求項４】
前記移動局装置情報は、前記第１の基地局装置と前記第２の基地局装置とを含む無線アクセスネットワークが保持している移動局装置の制御情報であること
を特徴とする請求項１から請求項３のいずれか一項に記載の無線通信システム。
【請求項５】
前記無線通信システムは、
前記第１の基地局装置と通信するゲートウェイ装置を具備し、
前記第２通信部は、
前記接続再設定要求に含まれる前記第１の基地局装置に関する識別情報に基づいて、前記ゲートウェイ装置に、前記移動局装置情報の転送要求を送信し、
前記ゲートウェイ装置は、
前記転送要求に基づいて、前記移動局装置情報を、前記第２の基地局装置に送信する第３通信部を備えること
を特徴とする請求項１に記載の無線通信システム。
【請求項６】
接続元である第１の基地局装置に関する識別情報を含む接続再設定要求を、接続先の候補である第２の基地局装置に送信する通信部を備えること
を特徴とする移動局装置。
【請求項７】
接続再設定要求に含まれる識別情報であって、移動局装置の接続元である他の基地局装置に関する識別情報に基づいて、前記移動局装置に関する移動局装置情報を取得する通信部と、
前記通信部が取得した前記移動局装置情報に基づいて前記移動局装置と接続を確立する接続部と、
を備えること
を特徴とする基地局装置。
【請求項８】
移動局装置における制御方法であって、
接続元である第１の基地局装置に関する識別情報を含む接続再設定要求を、接続先の候補である第２の基地局装置に送信する通信過程
を有することを特徴とする制御方法。
【請求項９】
基地局装置における制御方法であって、
接続再設定要求に含まれる識別情報であって、移動局装置の接続元である他の基地局装置に関する識別情報に基づいて、前記移動局装置に関する移動局装置情報を取得する通信過程と、
前記通信過程で取得した移動局装置情報に基づいて、前記移動局装置と接続を確立する接続過程と、
を有することを特徴とする制御方法。
【請求項１０】
コンピュータに、
接続元である第１の基地局装置に関する識別情報を含む接続再設定要求を、接続先の候補である第２の基地局装置に送信する通信手段、を実行させるためのプログラム。
【請求項１１】
コンピュータに、
接続再設定要求に含まれる識別情報であって、移動局装置の接続元である他の基地局装置に関する識別情報に基づいて、前記移動局装置に関する移動局装置情報を取得する通信手段と、
前記通信手段で取得した移動局装置情報に基づいて、前記移動局装置と接続を確立する接続手段と、
を実行させるためのプログラム。
【発明の詳細な説明】
【技術分野】
【０００１】
本発明は、無線通信システム、移動局装置、基地局装置、制御方法、およびプログラムに関する。
【背景技術】
【０００２】
従来、３Ｇ（第３世代移動通信システム）方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、ＬＴＥ（：Ｌｏｎｇ  Ｔｅｒｍ  Ｅｖｏｌｕｔｉｏｎ）方式の無線アクセスネットワーク（Ｅ−ＵＴＲＡＮ：Ｅｖｏｌｖｅｄ  ＵＴＲＡＮ）を収容可能な移動通信システムが知られている。
【０００３】
３ＧＰＰ（第３世代パートナーシッププロジェクト；３ｒｄ Ｇｅｎｅｒａｔｉｏｎ Ｐａｒｔｎｅｒｓｈｉｐ Ｐｒｏｊｅｃｔ）では、現在、ＬＴＥ−Ａ（エルティーイーエー、ロングタームエボリューションアドバンス；Ｌｏｎｇ Ｔｅｒｍ Ｅｖｏｌｕｔｉｏｎ−Ａｄｖａｎｃｅｄ）の仕様検討が行われている。
【０００４】
特許文献１に記載の技術は、第１移動局と第２移動局との間の音声通信用データ信号の経路を、回線交換通信をサポートしていない第１無線アクセスネットワークを介した経路から、回線交換通信をサポートしている第２無線アクセスネットワークを介した経路に切り替える移動通信方法である。第２無線アクセスネットワーク用の所定サーバが、経路切り替え信号を送信すると共に、タイマを起動する。第２移動局が、経路切り替え信号に基づいて、第１移動局宛ての音声通信用データ信号の送信宛先を、第１無線アクセスネットワークに接続されているゲートウェイ装置から前記所定サーバに切り替える。所定サーバが、タイマが満了する前に、第１移動局の第１無線アクセスネットワークから第２無線アクセスネットワークへのハンドオーバの完了を検知しなかった場合に、経路復旧指示信号を送信する。第２移動局が、経路復旧指示信号に応じて、第１移動局宛ての音声通信用データ信号の送信宛先を、所定サーバからゲートウェイ装置に切り替える。
【０００５】
また、非特許文献１に記載の技術は、基地局装置間でハンドオーバに失敗した際、移動局装置は、ベストセルを選択し、無線リソース制御接続再設定要求を送信する。移動局装置は、無線リソース制御接続再設定完了または無線リソース制御接続再設定失敗を示すメッセージを受信する。
【先行技術文献】
【特許文献】
【０００６】
【特許文献１】特開２０１２−０３３９８３号公報
【非特許文献】
【０００７】
【非特許文献１】３ＧＰＰ  ＴＳ  ３６．３３１  ３ＧＰＰ  ＲＡＮ２  ＃７５ｂｉｓ  Ｒ２−１１５７３２
【発明の概要】
【発明が解決しようとする課題】
【０００８】
しかしながら、特許文献１に記載の技術は、ハンドオーバにおける接続再設定の失敗を回避できないという欠点があった。また、非特許文献１に記載の技術では、無線リンク障害（Ｒａｄｉｏ  Ｌｉｎｋ  Ｆａｉｌｕｒｅ）やハンドオーバの失敗（Ｈａｎｄｏｖｅｒ  Ｆａｉｌｕｒｅ）を契機とした接続再設定の際に、移動局装置（ＵＥ：Ｕｓｅｒ  Ｅｑｕｉｐｍｅｎｔ）が移動局装置情報（ＵＥコンテキスト：ＵＥ  Ｃｏｎｔｅｘｔ）を持たないセルを選択してしまう場合があり、接続再設定に失敗するという欠点があった。
【０００９】
本発明は上記の点に鑑みてなされたものであり、確実に接続再設定することができる無線通信システム、移動局装置、基地局装置、制御方法、およびプログラムを提供することを課題とする。
【課題を解決するための手段】
【００１０】
（１）本発明は上記の課題を解決するためになされたものであり、本発明の一態様は、移動局装置と、前記移動局装置の接続元である第１の基地局装置と、前記移動局装置の接続先の候補である第２の基地局装置を具備する無線通信システムであって、前記移動局装置は、第１の基地局装置に関する識別情報を含む接続再設定要求を、前記第２の基地局装置に送信する第１通信部を備え、前記第２の基地局装置は、前記接続再設定要求に含まれる前記第１の基地局装置に関する識別情報に基づいて前記移動局装置に関する移動局装置情報を取得する第２通信部と、前記第２通信部が取得した移動局装置情報に基づいて前記移動局装置と接続を確立する接続部と、を備えることを特徴とする。
【００１１】
（２）また、本発明の一態様は、（１）に記載の無線通信システムにおいて、前記第２通信部は、前記接続再設定要求に含まれる識別情報が示す前記第１の基地局装置に、前記移動局装置情報の転送要求を送信し、前記第１の基地局装置は、前記転送要求に基づいて、前記移動局装置情報を、前記第２の基地局装置に送信する第３通信部を備えることを特徴とする。
【００１２】
（３）また、本発明の一態様は、（１）または（２）に記載の無線通信システムにおいて、前記基地局装置に関する識別情報は、当該基地局装置のセルを示す識別情報であることを特徴とする。
【００１３】
（４）また、本発明の一態様は、（１）、（２）、（３）のいずれか一項に記載の無線通信システムにおいて、前記移動局装置情報は、前記第１の基地局装置と前記第２の基地局装置とを含む無線アクセスネットワークが保持している移動局装置の制御情報であることを特徴とする。
【００１４】
（５）また、本発明の一態様は、（１）に記載の無線通信システムにおいて、前記無線通信システムは、前記第１の基地局装置と通信するゲートウェイ装置を具備し、前記第２通信部は、前記接続再設定要求に含まれる前記第１の基地局装置に関する識別情報に基づいて、前記ゲートウェイ装置に、前記移動局装置情報の転送要求を送信し、前記ゲートウェイ装置は、前記転送要求に基づいて、前記移動局装置情報を、前記第２の基地局装置に送信する第３通信部を備えることを特徴とする。
【００１５】
（６）また、本発明の一態様は、移動局装置において、接続元である第１の基地局装置に関する識別情報を含む接続再設定要求を、接続先の候補である第２の基地局装置に送信する通信部を備えることを特徴とする。
【００１６】
（７）また、本発明の一態様は、基地局装置において、接続再設定要求に含まれる識別情報であって、移動局装置の接続元である他の基地局装置に関する識別情報に基づいて、前記移動局装置に関する移動局装置情報を取得する通信部と、前記通信部が取得した前記移動局装置情報に基づいて前記移動局装置と接続を確立する接続部と、を備えることを特徴とする。
【００１７】
（８）また、本発明の一態様は、移動局装置における制御方法であって、接続元である第１の基地局装置に関する識別情報を含む接続再設定要求を、接続先の候補である第２の基地局装置に送信する通信過程を有することを特徴とする。
【００１８】
（９）また、本発明の一態様は、基地局装置における制御方法であって、接続再設定要求に含まれる識別情報であって、移動局装置の接続元である他の基地局装置に関する識別情報に基づいて、前記移動局装置に関する移動局装置情報を取得する通信過程と、前記通信過程で取得した移動局装置情報に基づいて、前記移動局装置と接続を確立する接続過程と、を有することを特徴とする。
【００１９】
（１０）また、本発明の一態様は、プログラムにおいて、コンピュータに、接続元である第１の基地局装置に関する識別情報を含む接続再設定要求を、接続先の候補である第２の基地局装置に送信する通信手段、を実行させる。
【００２０】
（１１）また、本発明の一態様は、プログラムにおいて、コンピュータに、接続再設定要求に含まれる識別情報であって、移動局装置の接続元である他の基地局装置に関する識別情報に基づいて、前記移動局装置に関する移動局装置情報を取得する通信手段と、前記通信過程で取得した移動局装置情報に基づいて、前記移動局装置と接続を確立する接続手段と、を実行させる。
【発明の効果】
【００２１】
本発明によれば、確実に接続再設定することができる。
【図面の簡単な説明】
【００２２】
【図１】本発明の第１の実施形態に係る無線通信システムの構成の一例を示す概念図である。
【図２】本実施形態に係るＬＴＥネットワークの構成の一例を示す概念図である。
【図３】本実施形態に係るＬＴＥネットワークにおける通信範囲（セル）の構成の一例を示す概念図である。
【図４】本実施形態に係る移動局装置の構成の一例を示す概略ブロック図である。
【図５】本実施形態に係る基地局装置の構成の一例を示す概略ブロック図である。
【図６】本実施形態に係る基地局装置の構成の一例を示す概略ブロック図である。
【図７】本実施形態に係る基地局装置の構成の一例を示す概略ブロック図である。
【図８】本実施形態に係る基地局装置に関する識別情報の割り当て方法の一例を示す概略図である。
【図９】本実施形態に係る移動局装置と基地局装置における接続再設定処理の一例を示す概略シーケンス図である。
【図１０】本実施形態に係る接続再設定処理の比較例を示すシーケンス図である。
【図１１】本実施形態に係る接続再設定処理の一例を示すシーケンス図である。
【発明を実施するための形態】
【００２３】
（第１の実施形態）
以下、図面を参照しながら本発明の第１の実施形態について詳しく説明する。
図１は、本発明の第１の実施形態に係る無線通信システムＳ１の構成の一例を示す概念図である。
無線通信システムＳ１は、３ＧネットワークＮ１およびＬＴＥネットワークＮ２がコアネットワーク２００を介して有線または無線で接続されている。無線通信システムＳ１は、ＨｅｔＮｅｔ（Ｈｅｔｅｒｏｇｅｎｅｏｕｓ  Ｎｅｔｗｏｒｋ）と呼ばれる、異なる通信方式のネットワークが混在するシステムである。３ＧネットワークＮ１は、無線ネットワーク制御装置３００、および基地局装置４００−１、４００−２を含んで構成される。一方、ＬＴＥネットワークＮ２は、基地局装置５００−１、５００−２、５００−３、および基地局装置６００を含んで構成される。
【００２４】
ＬＴＥネットワークＮ２における基地局装置（ｅＮＢ：Ｅｖｏｌｖｅｄ  Ｎｏｄｅ  Ｂ）５００−１、５００−２、５００−３および基地局装置（ＨｅＮＢ：Ｈｏｍｅ  Ｅｖｏｌｖｅｄ  Ｎｏｄｅ  Ｂ）６００は、各々無線ネットワーク制御装置３００の機能を有する。以下、基地局装置５００−１、５００−２、５００−３を総称して基地局装置５００と称することがある。また、基地局装置５００は、例えば、マクロセル基地局装置である。基地局装置６００は、例えば、ピコセル基地局装置またはホーム基地局装置である。
【００２５】
図２は、本実施形態に係るＬＴＥネットワークＮ２の構成の一例を示す概念図である。
ＬＴＥネットワークＮ２は、コアネットワーク２００−１、２００−２、基地局装置５００−１、５００−２、５００−３を含んで構成される。コアネットワーク２００−１、２００−２は、例えば、ＭＭＥ（エムエムイー：Ｍｏｂｉｌｉｔｙ  Ｍａｎａｇｅｍｅｎｔ  Ｅｎｔｉｔｙ）装置、またはＳ−ＧＷ（サービングゲートウェイ：Ｓｅｒｖｉｎｇ  Ｇａｔｅｗａｙ）装置であり、基地局装置５００を収容する。
【００２６】
基地局装置５００−１、５００−２、５００−３は、各々通信範囲（セル）ＣＥ１、ＣＥ２、ＣＥ３を有する。基地局装置５００−１、５００−２、５００−３とコアネットワーク２００−１、２００−２との間は、各々Ｓ１リンク（Ｓ１インターフェース）で接続される。基地局装置５００−１と、基地局装置５００−２と、基地局装置５００−３との間は、Ｘ２リンク（Ｘ２インタフェース）で接続される。基地局装置５００−１、基地局装置５００−２、基地局装置５００−３と、各々のセルＣＥ１、ＣＥ２、ＣＥ３と、各々のＸ２リンクとを含んでＥ−ＵＴＲＡＮ（イーユートラン：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と呼ぶ。
【００２７】
図３は、本実施形態に係るＬＴＥネットワークＮ２における通信範囲（セル）の構成の一例を示す概念図である。
基地局装置５００−１は、通信範囲（セル）ＣＥ１を有し、セルＣＥ１に属する移動局装置と通信を行う。基地局装置５００−２は、通信範囲（セル）ＣＥ２を有し、セルＣＥ２に属する移動局装置と通信を行う。基地局装置５００−３は、通信範囲（セル）ＣＥ３を有し、セルＣＥ３に属する移動局装置と通信を行う。
【００２８】
本実施形態において、セルＣＥ１、ＣＥ２、ＣＥ３は、互いに重複しないセルとしているが、セルの一部が重複するセルであってもよい。以下の説明では、移動局装置１００は、セルＣＥ１内の位置Ｐ１からセルＣＥ２内の位置Ｐ２に移動し、さらに、セルＣＥ２内の位置Ｐ２からセルＣＥ３内の位置Ｐ３に移動するものとする。また、基地局装置５００−１のセルＣＥ１をソースセル（Ｓｏｕｒｃｅ  Ｃｅｌｌ）と呼び、基地局装置５００−２のセルＣＥ２をターゲットセル（Ｔａｒｇｅｔ  Ｃｅｌｌ）と呼び、基地局装置５００−３のセルＣＥ３を再接続セル（Ｒｅ−ｅｓｔａｂｌｉｓｈｍｅｎｔ  Ｃｅｌｌ）と呼ぶものとする。
【００２９】
図４は、本実施形態に係る移動局装置１００の構成の一例を示す概略ブロック図である。
移動局装置１００は、送受信アンテナ１０１と、通信部１０２と、測定部１０３と、通知生成部１０４と、通知処理部１０５と、検出部１０６とを含んで構成される。
また、移動局装置１００は、その他、移動局装置の一般的な公知の機能を備えるが、図示および説明は省略する。
【００３０】
通信部１０２は、アップコンバート／ダウンコンバート、変調／復調、符号化／復号化、マッピング／デマッピングなどを行い、データの送受信を行う。通信部１０２は、通信環境情報を測定部１０３に出力する。通信部１０２は、ハンドオーバコマンド（Ｈａｎｄｏｖｅｒ  Ｃｏｍｍａｎｄ）である無線リソース制御再設定（ＲＲＣ  Ｃｏｎｎｅｃｔｉｏｎ Ｒｅｃｏｎｆｉｇｕｒａｔｉｏｎ）メッセージを受信する。通信部１０２は、受信した無線リソース制御再設定メッセージを通知処理部１０５に出力する。
【００３１】
測定部１０３は、通信環境情報が入力されると、例えば、下りリンクにおける受信電力、伝搬路特性などの通信品質に関する測定を行う。測定部１０３は、測定結果を通知生成部１０４に出力する。通知生成部１０４は、測定部１０３から入力された測定結果に基づき、測定結果報告（Ｍｅａｓｕｒｅｍｅｎｔ  Ｒｅｐｏｒｔ）メッセージを生成する。通知生成部１０４は、生成した測定結果報告を、通信部１０２を介して、基地局装置５００−１（セルＣＥ１）に通知する。
【００３２】
通知処理部１０５は、通信部１０２から入力された無線リソース制御再設定（ＲＲＣ  Ｃｏｎｎｅｃｔｉｏｎ Ｒｅｃｏｎｆｉｇｕｒａｔｉｏｎ）メッセージに基づき、通知生成部１０４にハンドオーバ指示を出力する。通知生成部１０４は、通知処理部１０５から入力されたハンドオーバ指示に基づき、検出部１０６にターゲットセルの検出要求を出力する。
検出部１０６は、通知生成部１０４から入力されたターゲットセルの検出要求に基づき、ターゲットセルの検出を行う。検出部１０６は、検出結果を通知生成部１０４に報告する。
【００３３】
通知生成部１０４は、検出部１０６から検出成功が通知された場合、ターゲットセルに対するランダムアクセスプリアンブル（Ｒａｎｄｏｍ  Ａｃｃｅｓｓ  Ｐｒｅａｍｂｌｅ）メッセージを生成する。通知生成部１０４は、生成したランダムアクセスプリアンブルメッセージを、通信部１０２を介して、ターゲットセルである基地局装置５００−２（セルＣＥ２）に通知する。
【００３４】
通信部１０２は、基地局装置５００−２（セルＣＥ２）からのランダムアクセスプリアンブルへの応答を監視し、その結果（ＡＣＫ／ＮＡＣＫ／無応答）を通知生成部１０４に報告する。
【００３５】
通知生成部１０４は、検出部１０６からターゲットセルの検出失敗を通知されるか、あるいは、通信部１０２からＮＡＣＫ／無応答の報告を受けた場合、ハンドオーバ失敗と判断し、検出部１０６にベストセル（Ｂｅｓｔ  Ｃｅｌｌ）の検出を要求する。検出部１０６は、検出したベストセルに基づき、再接続セル、例えば、基地局装置５００−３（ＣＥ３）を決定する。検出部１０６は、検出したベストセル（再接続セル）、例えば、基地局装置５００−３（セルＣＥ３）に関する情報を通知生成部１０４に出力する。
【００３６】
通知生成部１０４は、検出部１０６からベストセルに関する情報が入力されると、通知生成部１０４が記憶するベストセルに関する基地局装置の情報、例えば、基地局装置のＩＤ、セルのＩＤなどに基づいて、該基地局装置に対する無線リソース制御接続再設定要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）メッセージを生成する。
【００３７】
ここで、無線リソース制御接続再設定要求メッセージには、ソースセル（Ｓｏｕｒｃｅ  Ｃｅｌｌ）である基地局装置５００−１（ＣＥ１）のグローバルセル識別子（ＧＣＩ：Ｇｌｏｂａｌ  Ｃｅｌｌ  Ｉｄｅｎｔｉｔｙ）（基地局装置に関する識別情報）が含まれる。ＧＣＩとは、公衆モバイルネットワーク（Ｐｕｂｌｉｃ  Ｌａｎｄ  Ｍｏｂｉｌｅ  Ｎｅｔｗｏｒｋ）内でセル（Ｃｅｌｌ）毎に割当てられる識別子（ＩＤ）である。通知生成部１０４は、生成した無線リソース制御接続再設定要求メッセージを、通信部１０２を介し、再接続セルである基地局装置５００−３（ＣＥ３）に通知する。
【００３８】
通知処理部１０５は、通信部１０２を介して、無線リソース制御接続再設定（Ｒａｄｉｏ  Ｒｅｓｏｕｒｃｅ  Ｃｏｎｔｒｏｌ  Ｃｏｎｎｅｃｔｉｏｎ  Ｒｅ−ｅｓｔａｂｌｉｓｈｍｅｎｔ）メッセージが入力されると、通知生成部１０４に接続先の基地局装置に関する識別情報を出力する。通知生成部１０４は、通知処理部１０５から接続先の基地局装置に関する識別情報が入力されると、無線リソース制御接続再設定完了（ＲＲＣ  Ｃｏｎｎｅｃｔｉｏｎ  Ｒｅ−ｅｓｔａｂｌｉｓｈｍｅｎｔ  Ｃｏｍｐｌｅｔｅ）メッセージを生成する。通知生成部１０４は、生成した無線リソース制御接続再設定完了メッセージを、通信部１０２を介し、再接続セルの基地局装置５００−３（ＣＥ３）に通知する。
【００３９】
図５は、本実施形態に係る基地局装置５００−１の構成の一例を示す概略ブロック図である。
基地局装置５００−１は、送受信アンテナ５０１と、移動局装置通信部５０２と、受理部５０３と、通知部５０４と、ネットワーク通信部５０５とを含んで構成される。
また、基地局装置５００−１は、その他、基地局装置の一般的な公知の機能を備えるが、図示および説明は省略する。
【００４０】
移動局装置通信部５０２は、アップコンバート／ダウンコンバート、変調／復調、符号化／復号化、マッピング／デマッピングなどを行い、データの送受信を移動局装置１００と行う。移動局装置通信部５０２は、移動局装置１００から通知された測定結果報告メッセージを受理部５０３に出力する。受理部５０３は、移動局装置通信部５０２から入力された測定結果報告メッセージに基づき、ハンドオーバ指示を通知部５０４に出力する。通知部５０４は、受理部５０３からハンドオーバ指示が入力されると、ハンドオーバ前処理（Ｈａｎｄｏｖｅｒ  Ｐｒｅｐａｒａｔｉｏｎ）メッセージを生成する。
【００４１】
通知部５０４は、生成したハンドオーバ前処理メッセージを、ネットワーク通信部５０５を介して、ターゲットセルである基地局装置５００−２（ＣＥ２）に通知する。受理部５０３は、ネットワーク通信部５０５を介して、ハンドオーバ前処理Ａｃｋ（Ｈａｎｄｏｖｅｒ  Ｐｒｅｐａｒａｔｉｏｎ  Ａｃｋ）メッセージを受信すると、通知部５０４にハンドオーバ指示を出力する。
【００４２】
通知部５０４は、受理部５０３からハンドオーバ指示が入力されると、ハンドオーバコマンドである無線リソース制御再設定（ＲＲＣ  Ｃｏｎｎｅｃｔｉｏｎ Ｒｅｃｏｎｆｉｇｕｒａｔｉｏｎ）メッセージを生成する。通知部５０４は、生成した無線リソース制御再設定メッセージを、移動局装置通信部５０２を介して、移動局装置１００に通知する。受理部５０３は、ネットワーク通信部５０５を介して、移動局装置（ＵＥ）１００に関する情報の転送要求（Ｒｅｑｕｅｓｔ  ‘ＵＥ  ｃｏｎｔｅｘｔ’）メッセージを通知される。
【００４３】
受理部５０３は、受信した移動局装置情報の要求メッセージを通知部５０４に出力する。ここで、移動局装置情報（ＵＥ  Ｃｏｎｔｅｘｔ）とは、移動局装置（ＵＥ）１００の呼種（ベアラ）の情報、通信回路網内部経路情報（ネットワーク内部ルーティング情報）、の基地局装置５００−１、５００−２、５００−３と基地局装置６００とを含む無線アクセスネットワークが保持している移動局装置１００の制御情報などの情報である。通知部５０４は、入力された移動局装置情報の要求に基づいて、移動局装置情報メッセージを生成する。通知部５０４は、生成した移動局装置情報メッセージを、ネットワーク通信部５０５を介して、基地局装置５００−３に通知する。
【００４４】
図６は、本実施形態に係る基地局装置５００−２の構成の一例を示す概略ブロック図である。
基地局装置５００−１と、基地局装置５００−２とを比較すると、受理部５０３が削除され、処理部５０６が追加となっている。その他の構成は基地局装置５００−１と同様であるので説明は省略する。また、通知部５０４は、動作が異なるため、説明する。
また、基地局装置５００−２は、その他、基地局装置の一般的な公知の機能を備えるが、図示および説明は省略する。
【００４５】
処理部５０６は、ネットワーク通信部５０５を介してハンドオーバ前処理（Ｈａｎｄｏｖｅｒ  Ｐｒｅｐａｒａｔｉｏｎ）メッセージが通知される。処理部５０６は、ハンドオーバ前処理メッセージが通知されると、ハンドオーバに関する事前の処理を行う。処理部５０６は、ハンドオーバに関する事前の処理を終了したことを示す終了通知を通知部５０４に出力する。
【００４６】
通知部５０４は、処理部５０６から終了通知が入力されると、ハンドオーバ前処理に対する、ハンドオーバ前処理Ａｃｋ（Ｈａｎｄｏｖｅｒ  Ｐｒｅｐａｒａｔｉｏｎ  Ａｃｋ）メッセージを生成する。通知部５０４は、生成したハンドオーバ前処理Ａｃｋメッセージを、ネットワーク通信部５０５を介して、基地局装置５００−１に通知する。
【００４７】
図７は、本実施形態に係る基地局装置５００−３の構成の一例を示す概略ブロック図である。
基地局装置５００−１と、基地局装置５００−３とを比較すると、受理部５０３が削除され、接続部５０７が追加となっている。その他の構成は基地局装置５００−１と同様であるので説明は省略する。また、通知部５０４は、動作が異なるため、説明する。
また、基地局装置５００−３は、その他、基地局装置の一般的な公知の機能を備えるが、図示および説明は省略する。
【００４８】
接続部５０７は、移動局装置通信部５０２を介して、無線リソース制御接続再設定要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）メッセージが通知されると、該メッセージに含まれる基地局装置に関する識別情報（ＧＣＩ）を読み出す。接続部５０７は、読み出した基地局装置に関する識別情報（ＧＣＩ）を通知部５０４に出力する。通知部５０４は、接続部５０７から基地局装置に関する識別情報（ＧＣＩ）が入力されると、該基地局装置に対する移動局装置情報の要求（Ｒｅｑｕｅｓｔ  ‘ＵＥ  Ｃｏｎｔｅｘｔ’）メッセージを生成する。
【００４９】
通知部５０４は、生成した移動局装置情報の要求メッセージを、ネットワーク通信部５０５を介して、基地局装置５００−１に通知する。接続部５０７は、ネットワーク通信部５０５を介して、基地局装置５００−１から移動局装置情報通知（Ｓｅｎｄ  ‘ＵＥ  Ｃｏｎｔｅｘｔ’）メッセージが通知されると、通知部５０４に無線リソース制御接続再設定（ＲＲＣ  Ｃｏｎｎｅｃｔｉｏｎ  Ｒｅ−ｅｓｔａｂｌｉｓｈｍｅｎｔ）メッセージを生成させる。通知部５０４は、生成した無線リソース制御接続再設定メッセージを、移動局装置通信部５０２を介して、移動局装置１００に通知する。
【００５０】
接続部５０７は、移動局装置通信部５０２を介し、移動局装置１００から無線リソース制御接続再設定完了（ＲＲＣ  Ｃｏｎｎｅｃｔｉｏｎ  Ｒｅ−ｅｓｔａｂｌｉｓｈｍｅｎｔ  Ｃｏｎｐｌｅｔｅ）メッセージが通知される。これにより、基地局装置５００−３は、基地局装置５００−１から基地局装置５００−３へのハンドオーバを完了し、移動局装置１００との接続を確立する。
【００５１】
図８は、本実施形態に係る基地局装置に関する識別情報の割り当て方法の一例を示す概略図である。
画像Ｇ１００は、移動局装置（ＵＥ）１００がイーユートラン（Ｅ−ＵＴＲＡＮ）に送信するメッセージフォーマットの一例を示す画像である。
画像Ｇ１００における移動局装置（ＵＥ）１００の識別子の関数Ｇ１１０において、処理Ｇ１１１は、基地局装置に関する識別情報（ＧＣＩ：Ｇｌｏｂａｌ  Ｃｅｌｌ  Ｉｄｅｎｔｉｔｙ）の設定を行っている。また、画像Ｇ１００におけるＧＣＩの関数Ｇ１２０においては、公衆モバイルネットワーク（ＰＬＭＮ：Ｐｕｂｌｉｃ  Ｌａｎｄ  Ｍｏｂｉｌｅ  Ｎｅｔｗｏｒｋ）内でセル各々に割当てられる識別子の設定を行っている。
【００５２】
図９は、本実施形態に係る移動局装置１００と基地局装置（Ｅ−ＵＴＲＡＮ）５００における接続再設定処理の一例を示す概略シーケンス図である。
移動局装置１００は、基地局装置（Ｅ−ＵＴＲＡＮ）５００に無線リソース制御接続再設定要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）メッセージを送信する（ＳＴ１０１）。基地局装置（Ｅ−ＵＴＲＡＮ）５００は、移動局装置１００に無線リソース制御接続再設定（ＲＲＣ  Ｃｏｎｎｅｃｔｉｏｎ  Ｒｅ−ｅｓｔａｂｌｉｓｈｍｅｎｔ）メッセージを送信する（ＳＴ１０２）。移動局装置１００は、無線リソース制御接続再設定要求完了（ＲＲＣ  Ｃｏｎｎｅｃｔｉｏｎ  Ｒｅ−ｅｓｔａｂｌｉｓｈｍｅｎｔ  Ｃｏｍｐｌｅｔｅ）メッセージを送信する。これにより、移動局装置１００は、基地局装置（Ｅ−ＵＴＲＡＮ）５００とのハンドオーバを行う。
【００５３】
図１０は、本実施形態に係る接続再設定処理の比較例を示すシーケンス図である。
移動局装置１００は、ソースセル（Ｓｏｕｒｃｅ  Ｃｅｌｌ）である基地局装置５００−１（ＣＥ１）と通信を行う（ＳＴ２００）。
移動局装置１００の測定部１０３は、通信品質に関する測定を行う。移動局装置１００の通知生成部１０４は測定結果報告（Ｍｅａｓｕｒｅｍｅｎｔ  Ｒｅｐｏｒｔ）メッセージを生成し、通信部１０２を介して基地局装置５００−１に通知する（ＳＴ２０１）。
【００５４】
基地局装置５００−１は、移動局装置１００から測定結果報告メッセージが通知されると、ハンドオーバ前処理（Ｈａｎｄｏｖｅｒ  Ｐｒｅｐａｒａｔｏｎ）メッセージを、ターゲットセル（Ｔａｒｇｅｔ  Ｃｅｌｌ）である基地局装置５００−２（ＣＥ２）に通知する（ＳＴ２０２）。基地局装置５００−２は、基地局装置５００−１からハンドオーバ前処理メッセージが通知されると、ハンドオーバの事前処理を行い、ハンドオーバ前処理Ａｃｋ（Ｈａｎｄｏｖｅｒ  Ｐｒｅｐａｒａｔｉｏｎ  Ａｃｋ）メッセージを基地局装置５００−１に通知する（ＳＴ２０３）。
【００５５】
基地局装置５００−１は、ハンドオーバコマンド（Ｈａｎｄｏｖｅｒ  Ｃｏｍｍａｎｄ）である無線リソース制御再設定（Ｒａｄｉｏ  Ｒｅｓｏｕｒｃｅ  Ｃｏｎｔｒｏｌ  Ｒｅｃｏｎｆｉｇｕｒｅ）メッセージを移動局装置１００に通知する（ＳＴ２０４）。
移動局装置１００は、基地局装置５００−１から無線リソース制御再設定メッセージが通知されると、ランダムアクセスプリアンブル（Ｒａｎｄｏｍ  Ａｃｃｅｓｓ  Ｐｒｅａｍｂｌｅ）メッセージを基地局装置５００−２に対して通知する（ＳＴ２０５）。ここで、移動局装置１００が基地局装置５００−２に通知しようとしたランダムアクセスプリアンブルが通知されなかったとする。すなわち、基地局装置５００−１から基地局装置５００−２へのハンドオーバが失敗する。
【００５６】
移動局装置１００の検出部１０６は、ベストセル、例えば、基地局装置５００−３（ＣＥ３）の検出を行う（ＳＴ２０６）。
移動局装置１００は、無線リソース制御接続再設定要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）メッセージを、再接続セル（Ｒｅ−ｅｓｔａｂｌｉｓｈｍｅｎｔ  Ｃｅｌｌ）である基地局装置５００−３（ＣＥ３）に通知する（ＳＴ２０７）。
【００５７】
基地局装置５００−３は、無線リソース制御接続再設定（ＲＲＣ  Ｃｏｎｎｅｃｔｉｏｎ  Ｒｅ−ｅｓｔａｂｌｉｓｈｍｅｎｔ）メッセージを移動局装置１００に通知する（ＳＴ２０８）。
移動局装置１００は、無線リソース制御接続再設定完了（ＲＲＣ  Ｃｏｎｎｅｃｔｉｏｎ  Ｒｅ−ｅｓｔａｂｌｉｓｈｍｅｎｔ  Ｃｏｍｐｌｅｔｅ）メッセージを基地局装置５００−３に送信する（ＳＴ２０９）。これにより、基地局装置５００−１から基地局装置５００−３へのハンドオーバが行われる。
【００５８】
図１１は、本実施形態に係る接続再設定処理の一例を示すシーケンス図である。
移動局装置１００は、ソースセル（Ｓｏｕｒｃｅ  Ｃｅｌｌ）である基地局装置５００−１（ＣＥ１）と通信を行う（ＳＴ３００）。
移動局装置１００の測定部１０３は、通信品質に関する測定を行う。移動局装置１００の通知生成部１０４は測定結果報告（Ｍｅａｓｕｒｅｍｅｎｔ  Ｒｅｐｏｒｔ）メッセージを生成し、通信部１０２を介して基地局装置５００−１に通知する（ＳＴ３０１）。
【００５９】
基地局装置５００−１は、移動局装置１００から測定結果報告メッセージが通知されると、ハンドオーバ前処理（Ｈａｎｄｏｖｅｒ  Ｐｒｅｐａｒａｔｏｎ）メッセージを、ターゲットセル（Ｔａｒｇｅｔ  Ｃｅｌｌ）である基地局装置５００−２（ＣＥ２）に通知する（ＳＴ３０２）。基地局装置５００−２は、基地局装置５００−１からハンドオーバ前処理メッセージが通知されると、ハンドオーバの事前処理を行い、ハンドオーバ前処理Ａｃｋ（Ｈａｎｄｏｖｅｒ  Ｐｒｅｐａｒａｔｉｏｎ  Ａｃｋ）メッセージを基地局装置５００−１に通知する（ＳＴ３０３）。
【００６０】
基地局装置５００−１は、ハンドオーバコマンド（Ｈａｎｄｏｖｅｒ  Ｃｏｍｍａｎｄ）である無線リソース制御再設定（ＲＲＣ  Ｒｅｃｏｎｆｉｇｕｒｅ）メッセージを移動局装置１００に通知する（ＳＴ３０４）。
移動局装置１００は、基地局装置５００−１から無線リソース制御再設定メッセージが通知されると、ランダムアクセスプリアンブル（Ｒａｎｄｏｍ  Ａｃｃｅｓｓ  Ｐｒｅａｍｂｌｅ）メッセージを基地局装置５００−２に対して通知する（ＳＴ３０５）。ここで、移動局装置１００が基地局装置５００−２に通知しようとしたランダムアクセスプリアンブルが通知されなかったとする。すなわち、基地局装置５００−１から基地局装置５００−２へのハンドオーバが失敗する。
【００６１】
移動局装置１００の検出部１０６は、ベストセル、例えば、基地局装置５００−３（ＣＥ３）の検出を行う（ＳＴ３０６）。
移動局装置１００は、無線リソース制御接続再設定要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）メッセージを、再接続セル（Ｒｅ−ｅｓｔａｂｌｉｓｈｍｅｎｔ  Ｃｅｌｌ）である基地局装置５００−３（ＣＥ３）に通知する（ＳＴ３０７）。この時、無線リソース制御接続再設定要求メッセージは、基地局装置に関する識別情報（ＧＣＩ）を含んでいる。ここで、基地局装置に関する識別情報（ＧＣＩ）とは、基地局装置のセルを示す識別情報などである。
【００６２】
基地局装置５００−３は、移動局装置情報（ＵＥコンテキスト）の転送要求（Ｒｅｑｕｅｓｔ  ‘ＵＥ  Ｃｏｎｔｅｘｔ’）メッセージを基地局装置５００−１に通知する（ＳＴ３０８）。
基地局装置５００−１は、移動局装置情報（ＵＥコンテキスト）通知（Ｓｅｎｄ  ‘ＵＥ  Ｃｏｎｔｅｘｔ’）メッセージを基地局装置５００−３に通知する（ＳＴ３０９）。
【００６３】
基地局装置５００−３は、無線リソース制御接続再設定（ＲＲＣ  Ｃｏｎｔｒｏｌ  Ｃｏｎｎｅｃｔｉｏｎ  Ｒｅ−ｅｓｔａｂｌｉｓｈｍｅｎｔ）メッセージを移動局装置１００に通知する（ＳＴ３１０）。
移動局装置１００は、無線リソース制御接続再設定完了（ＲＲＣ  Ｃｏｎｎｅｃｔｉｏｎ  Ｒｅ−ｅｓｔａｂｌｉｓｈｍｅｎｔ  Ｃｏｍｐｌｅｔｅ）メッセージを基地局装置５００−３に送信する（ＳＴ３１１）。これにより接続部５０７は、基地局装置５００−１から基地局装置５００−３へのハンドオーバを行い、移動局装置１００と、基地局装置５００−３との接続が確立する。
【００６４】
なお、本実施形態において、移動局装置情報（ＵＥコンテキスト）を基地局装置５００−１（第１の基地局装置）から基地局装置５００−３（第２の基地局装置）に通知しているが、移動局装置情報を持たないゲートウェイ（Ｇａｔｅｗａｙ）装置（コアネットワーク２００）に収容される基地局装置で再接続（Ｒｅ−ｅｓｔａｂｌｉｓｈｍｅｎｔ）を行う場合、再接続セル（Ｒｅ−ｅｓｔａｂｌｉｓｈｍｅｎｔ  Ｃｅｌｌ）は、移動局装置情報をゲートウェイ装置（コアネットワーク２００）から取得してもよい。
【００６５】
また、移動局装置１００が移動中に接続されている基地局装置とのリンクが切れた場合、移動局装置１００が未確認のデータは、Ｘ２リンクを用いて基地局装置間で伝送され、移動局装置１００に再送されてもよい。
【００６６】
また、移動局装置１００が複数の参照信号（Ｒｅｆｅｒｅｎｃｅ  Ｓｉｇｎａｌ）の受信信号強度を測定し、測定した複数の参照信号の受信信号強度を比較することで受信品質の高いセル（基地局装置）にハンドオーバしてもよい。また、異種システム間におけるハンドオーバ、例えば、３ＧネットワークとＬＴＥネットワークとの間のハンドオーバにおいても、移動局装置が双方の通信方式に対応していれば、同様の手法でハンドオーバが可能である。
【００６７】
このように、本実施形態によれば、移動局装置１００と、移動局装置１００の接続元（ソースセル）である第１の基地局装置（基地局装置５００−１）と、移動局装置１００の接続先の候補（再接続セル）である第２の基地局装置（基地局装置５００−３）を具備する無線通信システムである。移動局装置１００の第１通信部（通信部１０２）は、第１の基地局装置（基地局装置５００−１）に関する識別情報（ＧＣＩ）を含む接続再設定要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）を、第２の基地局装置（基地局装置５００−３）に送信する。
【００６８】
これにより、確実に接続再設定することができる。また、移動局装置が再接続先として移動局装置情報を持たないセル（基地局装置）を選択した場合においても、ハンドオーバの失敗を回避することができる。
【００６９】
第２の基地局装置（基地局装置５００−３）の第２通信部（ネットワーク通信部５０５）は、接続再設定要求に含まれる識別情報（ＧＣＩ）が示す第１の基地局装置（基地局装置５００−１）に移動局装置情報の転送要求を送信する。第１の基地局装置（基地局装置５００−１）の第３通信部（ネットワーク通信部５０５）は、転送要求に基づいて、移動局装置情報を、第２の基地局装置（基地局装置５００−３）に送信する。
【００７０】
第１の基地局装置に関する識別情報は、当該基地局装置のセルを示す識別情報である。移動局装置情報は、第１の基地局装置（基地局装置５００−１）と第２の基地局装置（基地局装置５００−３）とを含む無線アクセスネットワークが保持している移動局装置１００の制御情報である。
【００７１】
これにより、確実に接続再設定することができる。また、移動局装置が再接続先として移動局装置情報を持たないセル（基地局装置）を選択した場合においても、ハンドオーバの失敗を回避することができる。
【００７２】
無線通信システムＳ１は、第１の基地局装置（基地局装置５００−１）と通信するゲートウェイ装置（コアネットワーク２００）を具備する。第２通信部（ネットワーク通信部５０５）は、接続再設定要求に含まれる第１の基地局装置（基地局装置５００−１）に関する識別情報（ＧＣＩ）に基づいて、ゲートウェイ装置（コアネットワーク２００）に、移動局装置情報の転送要求を送信する。ゲートウェイ装置（コアネットワーク２００）は、転送要求に基づいて、移動局装置情報を、第２の基地局装置（基地局装置５００−３）に送信する。
【００７３】
これにより、確実に接続再設定することができる。また、移動局装置が再接続先として移動局装置情報を持たないセル（基地局装置）を選択した場合においても、ハンドオーバの失敗を回避することができる。
【００７４】
なお、上述した実施形態における移動局装置１００、コアネットワーク２００、基地局装置５００−１、５００−２、５００−３、６００の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。
【００７５】
なお、ここでいう「コンピュータシステム」とは、移動局装置１００、コアネットワーク２００、基地局装置５００−１、５００−２、５００−３、６００に内蔵されたコンピュータシステムであって、ＯＳや周辺機器等のハードウェアを含むものとする。
【００７６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【００７７】
また上記プログラムは、前述した機能の一部を実現するためのものであっても良く、さらに前述した機能をコンピュータシステムにすでに記録されているプログラムとの組み合わせで実現できるものであっても良い。
【００７８】
また、上述した実施形態における移動局装置１００、コアネットワーク２００、基地局装置５００−１、５００−２、５００−３、６００の一部、または全部を、ＬＳＩ（Ｌａｒｇｅ  Ｓｃａｌｅ  Ｉｎｔｅｇｒａｔｉｏｎ）等の集積回路として実現しても良い。移動局装置１００、コアネットワーク２００、基地局装置５００−１、５００−２、５００−３、６００の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００７９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８０】
１００  移動局装置
１０１  送受信アンテナ
１０２  通信部
１０３  測定部
１０４  通知生成部
１０５  通知処理部
１０６  検出部
２００、２００−１、２００−２  コアネットワーク
３００  無線ネットワーク制御装置
４００、４００−１、４００−２  基地局装置
５００、５００−１、５００−２、５００−３  基地局装置
５０１  送受信アンテナ
５０２  移動局装置通信部
５０３  受理部
５０４  通知部
５０５  ネットワーク通信部
５０６  処理部
５０７  接続部
６００  基地局装置
Ｓ１  無線通信システム
Ｎ１  ３Ｇネットワーク
Ｎ２  ＬＴＥネットワーク
ＣＥ１、ＣＥ２、ＣＥ３  セル
【図１】
2014057215.tif 000003
【図２】
2014057215.tif 000004
【図３】
2014057215.tif 000005
【図４】
2014057215.tif 000006
【図５】
2014057215.tif 000007
【図６】
2014057215.tif 000008
【図７】
2014057215.tif 000009
【図８】
2014057215.tif 000010
【図９】
2014057215.tif 000011
【図１０】
2014057215.tif 000012
【図１１】
2014057215.tif 000013